(57)【要約】  【目的】  ユーザの二度手間を防ぐ。  【構成】  ディジタル・スチル・カメラ１とプリンタ50とがケーブル45などにより通信可能な状態となると，カメラ１に，プリントすべき画像の情報などを格納したファイルが生成されているかどうかが確認される。ファイルがすでに生成されていると，その旨がカメラ１の表示画面に表示される。すでに生成されているファイルにもとづいてプリンタ50にプリントをさせる場合には，カメラ１の実行ボタンが押される。すると，プリント指定ファイルがプリンタ50に送信され，すでに生成されているファイルにもとづくプリントが行われる。プリントすべき画像を新たに指定する場合には，カメラ１のキャンセル・ボタンが押される。プリントすべき画像の指定，プリント枚数の指定などが再び行われる。新たに指定された情報がカメラ１からプリンタ50に送信され，プリントが行われる。  【選択図】      図１
2005086478.tif 000002
【特許請求の範囲】
【請求項１】
プリンタと通信可能なディジタル・スチル・カメラにおいて，
上記プリンタによってプリントすべき画像のプリント情報を入力する入力手段，
上記プリンタと通信可能な状態となったかどうかを判定する第１の判定手段，
上記第１の判定手段によって通信可能な状態となったと判定されたことに応じて，上記入力手段を用いてすでに入力されているプリント情報にもとづいて画像をプリントするか，上記入力手段を用いてプリント情報を新たに入力するかを決定する決定手段，
上記決定手段において上記入力手段を用いてすでに入力されているプリント情報にもとづいて画像をプリントすると決定されたことに応じて，すでに入力されているプリント情報にもとづいて画像をプリントするように上記プリンタを制御する第１のプリンタ制御手段，
上記決定手段において，上記入力手段を用いてプリント情報を新たに入力すると決定されたことに応じて，上記入力手段を用いた新規プリント情報の入力指示を報知する第１の報知手段，および
上記報知手段による報知に応じて，上記入力手段から新たに入力されたプリント情報にもとづいてプリントするように上記プリンタを制御する第２のプリンタ制御手段，
を備えたディジタル・スチル・カメラ。
【請求項２】
上記第１の判定手段によって，通信可能な状態となったと判定されたことに応じて，上記入力手段を用いてすでに入力されているプリント情報があるかどうかを判定する第２の判定手段，および
上記第２の判定手段によって，すでに入力されているプリント情報があると判定されたことに応じて，上記入力手段を用いてすでに入力されているプリント情報にもとづいて画像をプリントするか，上記入力手段を用いてプリント情報を新たに入力するかを選択させる選択手段をさらに備え，
上記決定手段は，上記選択手段の選択結果に応じて，上記入力手段を用いてすでに入力されているプリント情報にもとづいて画像をプリントするか，上記入力手段を用いてプリント情報を新たに入力するかを決定するものである，
請求項１に記載のディジタル・スチル・カメラ。
【請求項３】
上記第２の判定手段は，プリント情報を格納するプリント情報ファイルの存在の有無および上記プリント情報ファイルに格納されているプリント情報の有無の少なくとも一方にもとづいて判定するものである，
請求項２に記載のディジタル・スチル・カメラ。
【請求項４】
上記第１の判定手段によって，通信可能な状態となったと判定されたことに応じて，上記入力手段を用いてすでに入力されているプリント情報があるかどうかを判定する第３の判定手段をさらに備え，
上記決定手段は，上記第３の判定手段によって，すでに入力されているプリント情報があると判定されたことに応じて，上記入力手段を用いてすでに入力されているプリント情報にもとづいて画像をプリントすることを決定し，かつ上記第３の判定手段によって，すでに入力されているプリント情報が無いと判定されたことに応じて，上記入力手段を用いてプリント情報を新たに入力することを決定するものである，
請求項１に記載のディジタル・スチル・カメラ。
【請求項５】
上記第１の判定手段によって，通信可能な状態となったと判定されたことに応じて，上記入力手段を用いてすでに入力されているプリント情報があるかどうかを判定する第４の判定手段，および
上記第４の判定手段によって，すでに入力されているプリント情報があると判定されたことに応じて，上記入力手段を用いてすでに入力されているプリント情報にもとづいて画像をプリントするか，上記入力手段を用いてプリント情報を新たに入力するかを選択させる選択手段をさらに備え，
上記決定手段は，上記選択手段の選択結果に応じて，上記入力手段を用いてすでに入力されているプリント情報にもとづいて画像をプリントするか，上記入力手段を用いてプリント情報を新たに入力するかを決定するものと，上記第４の判定手段によって，すでに入力されているプリント情報があると判定されたことに応じて，上記入力手段を用いてすでに入力されているプリント情報にもとづいて画像をプリントすることを決定し，かつ上記第４の判定手段によって，すでに入力されているプリント情報が無いと判定されたことに応じて，上記入力手段を用いてプリント情報を新たに入力することを決定するものとを設定に応じて切換可能なものである，
請求項１に記載のディジタル・スチル・カメラ。
【請求項６】
上記第１の判定手段によって，通信可能な状態となったと判定されたことに応じて，上記入力手段を用いてすでに入力されているプリント情報があるかどうかを判定する第５の判定手段，および
上記第５の判定手段によって，すでに入力されているプリント情報があると判定されたことに応じて，プリント情報に存在を報知する第２の報知手段，
をさらに備えた請求項１に記載のディジタル・スチル・カメラ。
【請求項７】
上記第２の報知手段によって報知されるプリント情報の存在がプリント情報に入力日を含むものである，請求項６に記載のディジタル・スチル・カメラ。
【請求項８】
プリンタと通信可能なディジタル・スチル・カメラにおいて，
上記プリンタによってプリントすべき画像のプリント情報を入力する入力手段を設け，
上記プリンタと通信可能な状態となったかどうかを判定し，
通信可能な状態となったと判定されたことに応じて，上記入力手段を用いてすでに入力されているプリント情報にもとづいて画像をプリントするか，上記入力手段を用いてプリント情報を新たに入力するかを決定し，
上記入力手段を用いてすでに入力されているプリント情報にもとづいて画像をプリントすると決定されたことに応じて，すでに入力されているプリント情報にもとづいて画像をプリントするように上記プリンタを制御し，
上記入力手段を用いてプリント情報を新たに入力すると決定されたことに応じて，上記入力手段を用いた新規プリント情報の入力指示を報知し，
上記報知に応じて，上記入力手段から新たに入力されたプリント情報によって指定される画像を，新規プリント情報にもとづいてプリントするように上記プリンタを制御する，
ディジタル・スチル・カメラの制御方法。
【発明の詳細な説明】
【技術分野】
【０００１】
この発明は，プリンタと通信可能なディジタル・スチル・カメラ（携帯型情報機器にカメラの機能を持たせたものを含む）およびその制御方法に関する。
【背景技術】
【０００２】
ディジタル・スチル・カメラとプリンタとをケーブル等を用いて接続し，ディジタル・スチル・カメラの記録媒体に記録されている画像データによって表される画像をプリンタでプリントする，いわゆるダイレクト・プリント・システムが利用され始めている。このようなシステムにおいては，プリントする時に，ディジタル・スチル・カメラを用いてプリントすべき画像を選択し，その選択された画像を表す画像データがプリンタに送信されるもの，あらかじめプリントすべき画像を選択しておき，後でプリントする時に選択された画像についての情報がプリンタに送信されるものなどがある。
【０００３】
また，携帯電話を利用して遠隔地にあるプリンタに画像をプリントさせるものもある（特許文献１）。このようなものでは，あらかじめプリント注文ファイルを作成しておき，携帯電話からプリンタにプリント注文ファイルが送信される。送信されたプリント注文ファイルにしたがって画像がプリントされる。
【０００４】
プリントすべき画像をあらかじめ指定しておいても，実際にプリントする時にあらかじめ指定していたことを忘れてしまい，再度，指定し直すことがある。二度手間になってしまうことがある。
【特許文献１】特開2001−197408号公報
【発明の開示】
【０００５】
この発明は，ユーザの手間をできるだけ抑えることを目的とする。
【０００６】
この発明は，プリンタと通信可能なディジタル・スチル・カメラにおいて，上記プリンタによってプリントすべき画像のプリント情報を入力する入力手段，上記プリンタと通信可能な状態となったかどうかを判定する第１の判定手段，上記第１の判定手段によって通信可能な状態となったと判定されたことに応じて，上記入力手段を用いてすでに入力されているプリント情報にもとづいて画像をプリントするか，上記入力手段を用いてプリント情報を新たに入力するかを決定する決定手段，上記決定手段において上記入力手段を用いてすでに入力されているプリント情報にもとづいて画像をプリントすると決定されたことに応じて，すでに入力されているプリント情報にもとづいて画像をプリントするように上記プリンタを制御する第１のプリンタ制御手段，上記決定手段において，上記入力手段を用いてプリント情報を新たに入力すると決定されたことに応じて，上記入力手段を用いた新規プリント情報の入力指示を報知する第１の報知手段，および上記報知手段による報知に応じて，上記入力手段から新たに入力されたプリント情報にもとづいてプリントするように上記プリンタを制御する第２のプリンタ制御手段を備えていることを特徴とする。
【０００７】
この発明は，上記ディジタル・スチル・カメラに適した制御方法も提供している。すなわち，この方法は，プリンタと通信可能なディジタル・スチル・カメラにおいて，上記プリンタによってプリントすべき画像のプリント情報を入力する入力手段を設け，上記プリンタと通信可能な状態となったかどうかを判定し，通信可能な状態となったと判定されたことに応じて，上記入力手段を用いてすでに入力されているプリント情報にもとづいて画像をプリントするか，上記入力手段を用いてプリント情報を新たに入力するかを決定し，上記入力手段を用いてすでに入力されているプリント情報にもとづいて画像をプリントすると決定されたことに応じて，すでに入力されているプリント情報にもとづいて画像をプリントするように上記プリンタを制御し，上記入力手段を用いてプリント情報を新たに入力すると決定されたことに応じて，上記入力手段を用いた新規プリント情報の入力指示を報知し，上記報知に応じて，上記入力手段から新たに入力されたプリント情報によって指定される画像を，新規プリント情報にもとづいてプリントするように上記プリンタを制御するものである。
【０００８】
この発明によると，ディジタル・スチル・カメラには，画像のプリント情報を入力するための入力手段が設けられている。プリンタとの通信が可能な状態となると（ディジタル・スチル・カメラとプリンタとがケーブルによって接続される，ディジタル・スチル・カメラとプリンタとの無線通信が確立するなど），すでに入力されているプリント情報にもとづいて画像をプリントするか，入力手段を用いてプリント情報を新たに入力するかが決定される。
【０００９】
すでに入力されているプリント情報にもとづいて画像をプリントするように決定された場合には，そのプリント情報にもとづいて画像をプリントするようにプリンタが制御される。入力手段を用いてプリント情報を新たに入力するように決定された場合には，プリント情報の入力指示が報知される。この報知に応じて，ユーザによって新規プリント情報が入力される。入力された新規プリント情報にもとづいて画像をプリントするようにプリンタが制御される。
【００１０】
決定に応じて，すで入力されているプリント情報にもとづいて画像をプリントする，あるいは新たにプリント情報を入力して画像をプリントすることができる。
【００１１】
好ましくは，上記第１の判定手段によって，通信可能な状態となったと判定されたことに応じて，上記入力手段を用いてすでに入力されているプリント情報があるかどうかを判定する第２の判定手段，および上記第２の判定手段によって，すでに入力されているプリント情報があると判定されたことに応じて，上記入力手段を用いてすでに入力されているプリント情報にもとづいて画像をプリントするか，上記入力手段を用いてプリント情報を新たに入力するかを選択させる選択手段をさらに備える。この場合，上記決定手段は，上記選択手段の選択結果に応じて，上記入力手段を用いてすでに入力されているプリント情報にもとづいて画像をプリントするか，上記入力手段を用いてプリント情報を新たに入力するかを決定するものとなろう。
【００１２】
ディジタル・スチル・カメラとプリンタとが通信可能な状態となった時に，プリント情報がすでに存在している場合には，ユーザによる選択に応じてすでに存在しているプリント情報にもとづいて画像がプリントされるか，あるいは新たにプリント情報を入力し，入力された新たなプリント情報にもとづいて画像がプリントされるかがユーザの選択にもとづいて決定される。すでに入力されているプリント情報にもとづいて画像がプリントされるのであれば，そのように選択することにより，プリント情報を再度入力してしまうという二度手間を防ぐことができる。すでに入力されているプリント情報を使用しない場合には，そのように選択することにより新たなプリント情報を入力することができ，新たなプリント情報を利用して画像をプリントすることができる。
【００１３】
上記第２の判定手段は，プリント情報を格納するプリント情報ファイルの存在の有無および上記プリント情報ファイルに格納されているプリント情報の有無の少なくとも一方にもとづいて判定することができる。
【００１４】
上記第１の判定手段によって，通信可能な状態となったと判定されたことに応じて，上記入力手段を用いてすでに入力されているプリント情報があるかどうかを判定する第３の判定手段をさらに備えるとよい。この場合，上記決定手段は，上記第３の判定手段によって，すでに入力されているプリント情報があると判定されたことに応じて，上記入力手段を用いてすでに入力されているプリント情報にもとづいて画像をプリントすることを決定し，かつ上記第３の判定手段によって，すでに入力されているプリント情報が無いと判定されたことに応じて，上記入力手段を用いてプリント情報を新たに入力することを決定するものとなろう。
【００１５】
プリント情報がすでに入力されている場合には，その入力されているプリント情報にもとづく画像のプリントを優先させることができるようになる。プリント情報がすでに入力されている場合に，再度同じプリント情報を入力してしまうというユーザの二度手間を未然に防止できる。
【００１６】
上記第１の判定手段によって，通信可能な状態となったと判定されたことに応じて，上記入力手段を用いてすでに入力されているプリント情報があるかどうかを判定する第４の判定手段，および上記第４の判定手段によって，すでに入力されているプリント情報があると判定されたことに応じて，上記入力手段を用いてすでに入力されているプリント情報にもとづいて画像をプリントするか，上記入力手段を用いてプリント情報を新たに入力するかを選択させる選択手段をさらに備えるようにしてもよい。
【００１７】
この場合，上記決定手段は，上記選択手段の選択結果に応じて，上記入力手段を用いてすでに入力されているプリント情報にもとづいて画像をプリントするか，上記入力手段を用いてプリント情報を新たに入力するかを決定するものと，上記第４の判定手段によって，すでに入力されているプリント情報があると判定されたことに応じて，上記入力手段を用いてすでに入力されているプリント情報にもとづいて画像をプリントすることを決定し，かつ上記第２の判定手段によって，すでに入力されているプリント情報が無いと判定されたことに応じて，上記入力手段を用いてプリント情報を新たに入力することを決定するものとを設定に応じて切換可能なものとなろう。
【００１８】
プリント情報がすでに入力されている場合に，選択に応じてそのプリント情報にもとづいて画像をプリントする場合と常にすでに入力されているプリント情報にもとづいて画像をプリントする場合とを設定に応じて切換えることができる。状況に応じて，プリント制御を変更できる。
【００１９】
上記第１の判定手段によって，通信可能な状態となったと判定されたことに応じて，上記入力手段を用いてすでに入力されているプリント情報があるかどうかを判定する第５の判定手段，および上記第５の判定手段によって，すでに入力されているプリント情報があると判定されたことに応じて，プリント情報の存在を報知する第２の報知手段をさらに備えるようにしてもよい。ユーザは，プリント情報がすでにあることが分かる。
【００２０】
上記第２の報知手段によって報知されるプリント情報の存在には，プリント情報の入力日を含ませてもよい。いつ入力したプリント情報かを確認できるので，新たにプリント情報を入力しなおすかどうかを再考できる。
【実施例】
【００２１】
図１は，この発明の実施例を示すもので，ダイレクト・プリント・システムを示している。
【００２２】
ダイレクト・プリント・システムには，ＵＳＢ（Universal Serial Bus）ケーブル45によって互いに通信可能に接続されているディジタル・スチル・カメラ（動画撮像が可能なものであるが，必ずしも動画撮像ができなくとも良い）１とプリンタ50とが含まれている。もっとも，後述するように，ディジタル・スチル・カメラ１とプリンタ50とは無線通信が可能であるため，ＵＳＢケーブル45を用いて接続しなくともよい。
【００２３】
この実施例によるダイレクト・プリント・システムにおいては，ディジタル・スチル・カメラ１のメモリ・カードに記録されている画像データをプリンタ50に送信することにより，その画像データによって表される画像をプリンタ50においてプリントすることができる。プリント指定ファイルに含まれるプリントすべき画像のファイル名，プリント枚数等を表すデータにもとづいてプリントが行われる。プリント指定ファイルをディジタル・スチル・カメラ１においてあらかじめ作成しておき，ディジタル・スチル・カメラ１とプリンタ50とがＵＳＢケーブル45によって接続されるなど，通信可能な状態となった場合に，あらかじめ作成されているプリント指定ファイルがディジタル・スチル・カメラ１からプリンタ50に送信される。プリント指定ファイルに格納されているデータにもとづいてプリントが行われる。あらかじめディジタル・スチル・カメラ１にプリント指定ファイルが格納されている場合であっても，ディジタル・スチル・カメラ１とプリンタ50とが通信可能な状態となった場合に新たにプリント指定ファイルを生成し，その新たに生成されたプリント指定ファイルに格納されているデータにもとづいてプリンタ50においてプリントさせることもできる。より詳細は，以下の説明によって明らかとなろう。
【００２４】
ディジタル・スチル・カメラ１の上面には，回転自在なモード設定ダイアル２，シャッタ・レリーズ・ボタン３および無線アンテナ４が設けられている。モード設定ダイアル２の奥側（背面側）にはマーク（図２，図３参照）２Ａが形成されている。後述するように，モード設定ダイアル２に形成されている文字をマーク２Ａに合わせることにより，マーク２Ａに対応する文字によって特定されるモードが設定される。
【００２５】
ディジタル・スチル・カメラ１の正面には，その中央部分にレンズ鏡筒６が形成されている。このレンズ鏡筒６の右上には，ストロボ５が形成されている。
【００２６】
ディジタル・スチル・カメラ１の右側面（図１において側面が見えている面）には，ＵＳＢケーブル45を装着するためのコネクタ７が形成されている。
【００２７】
図２は，ディジタル・スチル・カメラ１を背面から見た斜視図である。
【００２８】
ディジタル・スチル・カメラ１の背面には，ほぼ全体にわたって液晶表示画面10が形成されている。この液晶表示画面の上部には，電源スイッチ８が設けられている。また，液晶表示画面10の右側には，回りに上矢印，下矢印，右矢印および左矢印が押下可能に形成されている矢印ボタン８が設けられている。この矢印ボタン９の下には，メニュー・ボタン11，実行ボタン12およびキャンセル・ボタン13が設けられている。
【００２９】
図３は，モード設定ダイアル２の平面図である。
【００３０】
モード設定ダイアル２は，円形のものであり，周方向にSetup，ＵＳＢ，Wireless，Cam，Mov，PlayおよびPrintの各文字が形成されている。上述したように，モード設定ダイアル２の左側には，マーク２Ａが形成されている。
【００３１】
上述したように，マーク２Ａが指している文字によって特定されるモードがディジタル・スチル・カメラに設定されることとなる。Setupの文字がマーク２Ａに合わせられることにより，ディジタル・スチル・カメラ１の種々の設定を行うセットアップ・モードが設定される。ＵＳＢの文字がマーク２Ａに合わせられることにより，ＵＳＢケーブルを用いて他の装置と通信を行うＵＳＢモードが設定される。Wirelessの文字がマーク２Ａに合わせられることにより，他の装置と無線通信を行うワイヤレス・モードが設定される。Camの文字がマーク２Ａに合わせられることにより，静止画撮像モードが設定される。Movの文字がマーク２Ａに合わせられることにより，動画撮像モードが設定される。Playの文字がマーク２Ａに合わせられることにより，再生モードが設定される。Printの文字がマーク２Ａに合わせられることにより，プリント指定ファイルを生成するプリント指定ファイル生成モードが設定される。
【００３２】
図１に戻って，プリンタ50の上面には，右奥隅に無線アンテナ51が立設している。プリンタ50上面の手前には，各種ボタン類が形成されている。ボタンには，インクレメント指令を与えるときに押されるインクレメント・ボタン53，デクレメント指令を与えるときに押されるデクレメント・ボタン54，プリント指令を与えるときに押されるプリント・ボタン55および取消指令を与えるときに押される取消ボタン56が含まれている。さらに，これらのボタンの手前には，モード・スイッチ（図７参照）57が設けられている。ボタン類の右側には，プリント用紙を出し入れするための着脱自在なカバー52が設けられている。
【００３３】
プリンタ50の前面には，プリント中に表示されるＬＥＤ59が左上隅に設けられている。このＬＥＤ59の右下側には，メモリ・カード90を着脱自在に装着するためのメモリ・カード・スロット58が形成されている。さらに，メモリ・カード・スロット58の右側には，プリンタ排出口60が形成されている。プリンタ排出口60の下には，受け台61が設けられている。プリンタ60から排出される画像の印刷物91が受け台61によって受けられることとなる。
【００３４】
プリンタ50の背面には，ＵＳＢコネクタが形成されている。このＵＳＢコネクタにＵＳＢケーブル45が装着されている。
【００３５】
図４は，プリンタ50のモード・スイッチ57を示している。
【００３６】
モード・スイッチ57には，スライド自在なつまみ57Ａが形成されている。モード・スイッチ57に対応してCard, PC（wireless）, Cam（wireless），PC（USB）および Cam（USB）の各文字が形成されている。これらの各文字につまみ57Ａを位置決めすることにより，各モードを設定することができる。Cardの文字につまみ57Ａが合わせられることにより，メモリ・カード90に格納されている画像データによって表される画像をプリンタ50単独でプリントするカード・プリント・モードが設定される。PC（wireless）の文字につまみ57Ａが合わせられることにより，無線通信によってパーソナル・コンピュータに制御されるワイヤレスＰＣモードが設定される。 Cam（wireless）の文字につまみ57Ａが合わせられることにより，無線通信によってディジタル・スチル・カメラ１に制御されるワイヤレス・カメラ・モードが設定される。PC（USB）の文字につまみ57Ａが合わせられることにより，ＵＳＢケーブル45を用いた通信によってパーソナル・コンピュータに制御されるＵＳＢ通信ＰＣモードが設定される。Cam（USB）の文字につまみ57Ａが合わせられることにより，ＵＳＢケーブル45を用いた通信によってディジタル・スチル・カメラ１に制御されるＵＳＢカメラ・モードが設定される。
【００３７】
図５は，ディジタル・スチル・カメラ１の電気的構成を示すブロック図である。
【００３８】
ディジタル・スチル・カメラ１の全体の動作は，ＣＰＵ31によって統括される。
【００３９】
上述したように，ディジタル・スチル・カメラ１のストロボ５は，ストロボ制御回路24によってその発光が制御される。また，ディジタル・スチル・カメラ１には，ＲＯＭ，ＲＡＭなどのシステム・メモリ32も含まれている。このシステム・メモリ32には，ディジタル・スチル・カメラの動作プログラムが記憶されている。また，画像データ等も一時的にシステム・メモリ32に記憶される。
【００４０】
タイマ34および撮影日時についての情報を得るためのカレンダ／時計35もディジタル・スチル・カメラ１に含まれている。上述したように，シャッタ・レリーズ・ボタン３等を含むボタン類40から出力される押し下げを示す信号は，インプット／アウトプット・ユニット36を介してディジタル・スチル・カメラ30に入力する。さらに，ディジタル・スチル・カメラには，各回路に電源を供給するバッテリィ41が含まれている。
【００４１】
モード設定ダイアル２によってCamの文字がマーク２Ａに位置決めされ，静止画撮像モードに設定されると，撮像回路21によって被写体が撮像される。被写体像を表す映像信号が信号処理回路22を介してアナログ／ディジタル変換回路23に与えられ，ディジタル画像データに変換される。ディジタル画像データは，システム・メモリ32に一時的に記憶される。システム・メモリ32から画像データが読み出されると，フレーム・メモリ28に与えられる。画像データは，フレーム・メモリ28からＬＣＤ（liquid crystal display  device）制御回路29に与えられることにより，液晶表示装置（表示画面と同じ符号を用いる）10の表示画面10上に表示される。ＯＳＤ（on screen device）からオン・スクリーン信号が出力され，ＬＣＤ制御回路29に与えられることにより，表示画面10上に所定の文字が表示される。
【００４２】
ボタン類40に含まれるシャッタ・レリーズ・ボタン３が押されると，上述のようにしてシステム・メモリ32に記憶された画像データは，圧縮／伸張回路25に与えられ，圧縮される。圧縮された画像データがカード・インターフェイス37を介してメモリ・カード・スロット38に装着されているメモリ・カード39に，画像ファイルの形式で記録される。複数のフォルダを作り，画像の種類に対応したフォルダに画像ファイルを格納することもできる。
【００４３】
再生モードが設定されると，メモリ・カード39に記録されている圧縮画像データは圧縮／伸張回路25において伸張される。伸張された画像データがフレーム・メモリ28を介してＬＣＤ制御回路29に与えられることにより，表示画面10上に再生画像が表示される。
【００４４】
ＵＳＢ通信モードが設定されると，ＵＳＢドライバ26によって画像データ，プリント指定ファイル等がコネクタ７に接続されているＵＳＢケーブルを介してプリンタ50に送信される。また，プリンタ50から送信されたデータ等もコネクタ７およびＵＳＢドライバ26によってディジタル・スチル・カメラ１に入力する。
【００４５】
ワイヤレス通信モードが設定されると，無線通信インターフェイス27に接続されているアンテナ４によって画像データ，プリント指定ファイル等がプリンタ50に送信される。また，プリンタ50から送信されたデータ等もアンテナ４によって受信される。
【００４６】
図６は，メモリ・カード39のディレクトリ構造の一部を示している。
【００４７】
ルート・ディレクトリ（ROOT）の下層に，注文フォルダ（ORDER），画像フォルダ（IMAGE）などが存在している。
【００４８】
注文フォルダは，プリント指定ファイルを格納するフォルダである。PRT INFO.TXTのフォルダ名をもつプリント指定ファイルが注文フォルダに格納されている。さらに，上述したように，プリント指定ファイルが生成された場合に，生成されたファイルを対応したフォルダに格納することもできる。
【００４９】
画像フォルダは，画像ファイルを格納するフォルダである。画像フォルダには，さらに，VACATIONのフォルダ名をもつフォルダ，BIRTHDAYのフォルダ名をもつフォルダなどが格納されている。VACATIONのフォルダ名をもつフォルダには，休暇に関する画像を表す画像ファイルが格納される。BIRTHDAYのフォルダ名をもつフォルダには，誕生日に関連する画像を表す画像ファイルが格納される。画像フォルダに格納される画像ファイルのファイル番号は欠番があってもよいのはいうまでもない。
【００５０】
図７は，表示画面10に表示されるプリント指定画像の一例である。
【００５１】
プリント指定画像は，プリント指定ファイル生成モードが設定されたときまたはワイヤレス・モードもしくはＵＳＢモードが設定された場合においてディジタル・スチル・カメラ１とプリンタ50との通信状態が確立されたときに表示画面10に表示される。プリント指定画像を利用してプリントすべき画像の枚数等を表すデータを格納するプリント指定ファイルが生成される。
【００５２】
表示画面10のほぼ全体には画像表示ウインドウ100が形成されている。この画像表示ウインドウ100に，メモリ・カード39に記録されている画像ファイルによって表される画像が表示される。画像表示ウインドウ100の上部には，画像表示ウインドウ100に表示されている画像の駒番号101が表示されている。この駒番号の下には，撮影年月日および日時102が表示されている。メモリ・カードにプリント指定ファイルが存在する場合は，その内容がデフォルトの値として表示されてもよい。存在しない場合は，あらかじめ設定されている初期値（例えば，プリント枚数は０）が表示される。
【００５３】
画像表示ウインドウ100の左側には，プリント内容表示領域103が形成されている。このプリント内容表示領域103には，プリントすべき枚数およびインデックス・プリントの対象とするかどうかが表示されている。表示画像ウインドウ100に表示されている画像をインデックス・プリントの対象とするように設定されている場合には，Index Printの文字に対応してYesの文字が表示される。表示画像ウインドウ100に表示されている画像をインデックス・プリントの対象としないように設定されている場合には，Index Printの文字に対応してNoの文字が表示される。
【００５４】
プリント内容表示領域103の下には，画像選択方法表示領域104および枚数指定方法表示領域105が表示されている。
【００５５】
画像選択方法表示領域104には，左矢印および右矢印が表示されている。矢印ボタン９の右矢印ボタンが押されることにより，駒番号のインクレメント指令がディジタル・スチル・カメラ１に与えられ，左矢印ボタンが押されることにより，駒番号のデクレメント指令がディジタル・スチル・カメラ１に与えられる。インクレメント指令およびデクレメント指令に応じて指定される画像の駒番号が駒番号表示領域101に表示される。
【００５６】
枚数指定方法表示領域105には，上矢印および下矢印が表示されている。矢印ボタン９の上矢印ボタンが押されることにより，プリント枚数のインクレメント指令がディジタル・スチル・カメラ１に与えられる。矢印ボタン９の下矢印ボタンが押されることにより，プリント枚数のデクレメント指令がディジタル・スチル・カメラ１に与えられる。インクレメント指令およびデクレメント指令に応じて指定されるプリント枚数がプリント内容表示領域103に表示される。
【００５７】
枚数指定方法表示領域105の下には，インデックス・プリント指定方法表示領域106が表示されている。この表示領域106には，メニューの文字が表示されている。プリント指定画像が表示されている場合に，メニュー・ボタン11が押されるごとにインデックス・プリントの指定が切り替わる。インデックス・プリントの指定に応じて，プリント内容表示領域103におけるインデックス・プリントの指定表示が切り替わる。
【００５８】
インデックス・プリント指定方法表示領域106の右側には，実行の文字が表されているプリント実行方法表示領域107が表示されている。プリント指定ファイル生成モードが設定されている場合に，実行ボタン12が押されることにより，設定されたプリント内容を格納したプリント指定ファイルが生成される。メモリ・カードにプリント指定ファイルが存在している場合は，上書きするか，もしくは，ユーザへ確認（Ｙｅｓ／Ｎｏ）の上，上書きするか，上書きをキャンセルする。また，カメラの不揮発性メモリに格納してもよい。
【００５９】
図８は，上述のようにして生成されたプリント指定ファイル（注文情報ファイル）の内容を示している。
【００６０】
プリント指定ファイルには，GENERAL情報およびJOB情報が格納されている。
【００６１】
GENERAL情報は，プリント指定ファイルの概略情報を格納するものである。具体的には，プリント指定ファイルの生成年月日および時刻を表すDateTime情報および生成したユーザの氏名を表すCreator情報が格納されている。
【００６２】
JOB情報は，画像のプリント情報を格納するものである。具体的には，一枚の用紙に一駒の画像をプリントするスタンダード・プリントか，一枚の用紙に複数駒のサムネイル画像をプリントするインデックス・プリントかを示すType情報，プリント枚数を示すQuantity情報，プリントすべき画像の画像ファイルへのパスを示すFile情報などが格納されている。Type情報がインデックス・プリントを示すものであれば（index），JOB情報には，インデックス・プリントを構成するすべての画像を表す画像ファイルへのパスが格納される。
【００６３】
プリント指定ファイルの内容を解析することにより，プリント指定ファイルにもとづいてプリントすることができるようになる。
【００６４】
図９は，セットアップ・モードが設定された場合に表示画面10に表示されるセットアップ画像の一例である。
【００６５】
セットアップ・モードによって設定できる項目には，圧縮率，画素数，シャープネス，ビープ音，プリント設定，WirelessおよびＵＳＢがある。
【００６６】
圧縮率の設定には，「Fine」，「Normal」または「Basic」がある。「Fine」は，圧縮の程度を抑えてきれいな画像を得るときに設定される。「Normal」は，通常の圧縮率で画像を得るときに設定される。「Basic」は，圧縮率を高くして画像データのデータ量を抑えるときに設定される。
【００６７】
画素数の設定には，水平方向および垂直方向の画素数がそれぞれ，「1600画素および1200画素」，「1280画素および960画素」ならびに「640画素および480画素」がある。
【００６８】
シャープネスの設定には，その程度を大きくする「ハード」，標準的なシャープネスを設定する「標準」およびその程度を少なくする「ソフト」がある。
【００６９】
ビープ音の設定には，音を大きくする「大」，標準的な音量とする「標準」，音を小さくする「小」および音を鳴らさないようにする「オフ」がある。
【００７０】
プリント設定は，ディジタル・スチル・カメラ１とプリンタ50とがＵＳＢケーブルが接続されるなど通信可能な状態となったときにおけるプリンタの動作を設定するものである。「オート」，「モード選択」および「モード固定」がある。「オート」は，ディジタル・スチル・カメラ１とプリンタ50とが通信可能状態となった場合において，ディジタル・スチル・カメラ１のメモリ・カード39（不揮発性メモリ33でもよい）にプリント指定ファイルが格納されているときには，そのプリント指定ファイルによって指定される内容にもとづいて画像のプリントを行うようにプリンタ50を制御するように設定するものである。「モード選択」は，ディジタル・スチル・カメラ１とプリンタ50とが通信可能状態となった場合において，ディジタル・スチル・カメラ１にプリント指定ファイルが格納されているときには，プリント指定ファイルが格納されていることを表示し，格納されているプリント指定ファイルにもとづいてプリンタ50にプリント動作をさせるか，新たにプリント内容を指定するかをユーザに選択させるものである。「モード固定」は，ディジタル・スチル・カメラ１とプリンタ50とが通信可能状態となった場合においては，ディジタル・スチル・カメラ１にプリント指定ファイルが存在するかどうかに関わらず，ユーザが新たにプリント内容を指定して画像をプリントするものである。
【００７１】
Wirelessの設定には，「オート」，「ＰＣ」および「プリンタ」がある。「オート」は，無線接続時に接続先の装置の種別を判断するものである。接続先の装置がパーソナル・コンピュータであれば，ディジタル・スチル・カメラは，ストレージ・ディバイスとして動作し，接続先の装置がプリンタであれば，ディジタル・スチル・カメラは，ダイレクト・プリント・システムにおける画像データの供給装置となる。「ＰＣ」が設定されることにより，ディジタル・スチル・カメラは，常にストレージ・ディバイスとして動作する。「プリンタ」が設定されることにより，ディジタル・スチル・カメラは，常にダイレクト・プリント・システムにおける画像データの供給装置となる。
【００７２】
ＵＳＢの設定にも，「オート」，「ＰＣ」および「プリンタ」がある。設定に応じた動作は，ＵＳＢケーブルを用いてディジタル・スチル・カメラ１とプリンタ50とが接続される場合に適用されることを除いてWirelessの設定に応じた動作と同様である。
【００７３】
圧縮率，画素数，シャープネス，ビープ音，プリント設定，WirelessおよびＵＳＢの各項目のうち，いずれかの項目がカーソルＣ１によって囲まれている。矢印ボタン９の上矢印ボタンまたは下矢印ボタンが押されることにより，カーソルＣ１が各項目間を上方向または下方向に移動する。設定しようとする項目にカーソルＣ１が位置決めされる。各項目に対応して規定されている詳細な内容も，各項目ごとにカーソルＣ２によって囲まれている。実行ボタン12が押されることにより，カーソルＣ１が囲まれている項目について，カーソルＣ２が囲まれている内容に設定される。
【００７４】
図10は，プリンタ50の電気的構成を示すブロック図である。
【００７５】
プリンタ50の全体の動作は，ＣＰＵ80によって統括される。
【００７６】
メモリ・カード・スロット58には，カード・インターフェイス71が接続されている。上述した各種ボタン53等の操作スイッチ73の押下を示す信号は，ＣＰＵ80に入力する。また，２つのＵＳＢ−Ａコネクタ74とＵＳＢ−Ｂコネクタ75とが形成されている。一方のＵＳＢ−Ａコネクタ74は，ディジタル・スチル・カメラ１とＵＳＢケーブル45を用いて接続するときに利用される。他方のＵＳＢ−Ｂコネクタ75は，パーソナル・コンピュータとＵＳＢケーブルを用いて接続するときに利用される。ＵＳＢ−Ａコネクタ74とＵＳＢ−Ｂコネクタ75とは，ＵＳＢインターフェイス76に接続されている。さらに，アンテナ51は，無線インターフェイス77に接続されている。
【００７７】
プリンタ50は，外部表示装置93と接続することができる。このために，プリンタ50には，表示コントローラ78およびフレーム・メモリ79が設けられている。また，プリンタ50には，プリント指定ファイル等のデータを記憶する不揮発性メモリ81および画像データ等を一時的に記憶するシステム・メモリ82が含まれている。さらに，プリンタ50には，画像をプリントするためのプリント・エンジン83が含まれている。
【００７８】
モード設定スイッチ57によってCam（ＰＣ）モードが設定されると，ディジタル・スチル・カメラ１からＵＳＢケーブル45を介して画像データが送信される。画像データは，ＵＳＢインターフェイス76を介してシステム・メモリ82に与えられ，一時的に記憶される。また，Cam（Wireless）モードが設定されると，ディジタル・スチル・カメラ１から無線によって画像データが送信される。画像データは，アンテナ51によって受信され，無線インターフェイス77を介してシステム・メモリ82に与えられ，一時的に記憶される。システム・メモリ82に記憶された画像データがプリント・エンジン83に与えられることにより，画像がプリントされる。ディジタル・スチル・カメラ１からプリント指定ファイルが送信された場合には，そのプリント指定ファイルによって表されるプリント内容にしたがってプリント動作が実行されるのはいうまでもない。
【００７９】
モード設定スイッチ57によってCardモードが設定されると，メモリ・カード90に記憶されている画像データが読み出される。その読み出された画像データは，システム・メモリ82に与えられ，一時的に記憶される。画像データは，システム・メモリ82から読み出され，プリント・エンジン83に与えられることにより，メモリ・カード90に記録されている画像データによって表される画像がプリントされる。
【００８０】
図11は，ディジタル・スチル・カメラ１とプリンタ50との通信処理手順の概要を示すフローチャートである。Wirelessモードが設定されるものとするが，ＵＳＢケーブルを用いて通信するモードが設定されてもよいのはいうまでもない。
【００８１】
ディジタル・スチル・カメラ１のユーザによって，モード設定ダイアル２を用いてワイヤレス・モードが設定される（ステップ121）。すると，ディジタル・スチル・カメラ１の背面に形成されている表示画面10には，図12に示す接続先選択画像が表示される（ステップ122）。
【００８２】
接続先選択画像には，あらかじめ登録されている装置の名称およびＭＡＣ（mobile advisory council）アドレスが表示されている。電源がオンされているなど，ディジタル・スチル・カメラ１と接続可能な装置の名称およびＭＡＣアドレスは濃く表示され，電源がオフされているなどディジタル・スチル・カメラ１と接続不可能な装置の名称およびＭＡＣアドレスはグレイ表示されている。装置の名称およびＭＡＣアドレスを囲むようにカーソルＣが表示されている。
【００８３】
表示画面の下部には，上矢印および下矢印が含まれている選択方法表示領域145および実行の文字が現れている接続方法表示領域146が表示されている。
【００８４】
矢印ボタン９の上矢印または下矢印が押されることにより，カーソルＣが上方向または下方向に移動する。所望の装置がカーソルＣによって囲まれているときに実行ボタン107が押されることにより，接続先の装置の設定が行われる。
【００８５】
図11に戻って，接続先の装置の設定が行われると，設定された装置（この場合，プリンタ50）に接続要求を表すデータがディジタル・スチル・カメラ１からプリンタ50に送信される（ステップ123）。
【００８６】
プリンタ50において接続要求を表すデータが受信されたことに応じて，接続完了を示すデータがプリンタからディジタル・スチル・カメラ１に送信される（ステップ131）。
【００８７】
プリンタ50から送信された接続完了を示すデータがディジタル・スチル・カメラ１において受信されると，ディバイスの種別を問い合わせるデータがプリンタ50に送信される（ステップ124）。この問い合わせによって，接続されたプリンタがダイレクト・プリントに対応しているかどうかが確認される。
【００８８】
ディバイスの種別を問い合わせるデータがプリンタ50において受信されることに応じて，プリンタ50からディジタル・スチル・カメラ１にディバイスの種別を示すデータが送信される（ステップ132）。
【００８９】
その後，ディジタル・スチル・カメラ１とプリンタ50との間で必要に応じて通信しながら，画像のプリントが実行される（ステップ125）。このプリント処理について詳しくは，後述する。
【００９０】
プリント処理が終了すると，ディジタル・スチル・カメラ１とプリント50との間の通信が切断される（ステップ126，134）。
【００９１】
図13は，プリント実行処理（図11のステップ125の処理）を示すフローチャートである。
【００９２】
上述したように（図９参照），セットアップ・モードにおいて設定されているプリント設定の内容が確認される（ステップ151）。
【００９３】
「オート」に設定されていると，ディジタル・スチル・カメラ１のメモリ・カード39，または不揮発性メモリ81内にすでに生成されたプリント指定ファイルが格納されているかどうかが判断される（ステップ152）。
【００９４】
プリント指定ファイルがすでに生成されていると（ステップ152でＹＥＳ），ディジタル・スチル・カメラ１の表示画面10に図14に示す指定プリント報知画像が表示される（ステップ153）。
【００９５】
指定プリント報知画像には，プリント指定ファイルがすでに生成されていることをユーザに知らせる報知領域170が含まれている。この報知領域には，プリント指定ファイルが生成された日時も表示されている。報知領域170の下には，実行ボタン12の押下を示す実行の文字が現れ，かつすでに生成されているプリント指定ファイルにもとづいてプリント動作を行う場合の指定方法の表示領域171およびキャンセルの文字が現れ，かつ新たにプリント指定を行い，新たに指定されたプリント動作を行う場合の指定方法の表示領域172がある。実行ボタン12が押されることにより，すでに生成されているプリント指定ファイルによって示される内容にもとづいてプリント動作が行われる。また，キャンセル・ボタン13が押されることにより，新たにプリント指定を行い，新たに指定された内容にもとづいてプリント動作が行われる。
【００９６】
すでにプリント指定ファイルが生成されている場合には，生成されていることがユーザに報知されるので，プリントの指定をしたことをユーザは思い出すことができる。プリント指定したことを忘れて再び，プリントの指定を行ってしまうという二度手間を防止できる。また，生成されたプリント指定ファイルの日時も表示されるので，いつ生成したものかを確認することもできる。さらに，すでにプリント指定ファイルを生成した場合であっても，新たにプリントの指定をやり直したい場合にはキャンセル・ボタン13を押すことによってすでに生成されているプリント指定ファイルにもとづくプリント処理をキャンセルできる。プリント生成ファイルの有無にもとづいて，すでにプリント指定したかどうかを判断しているが，プリント生成ファイルに格納されている情報にもとづいてすでにプリント指定したかどうかを判断してもよい。
【００９７】
図13に戻って，実行ボタン12の押下またはキャンセル・ボタン13の押下によってユーザによる確認が行われる（ステップ154）。
【００９８】
ユーザによって実行ボタン12が押されると（ステップ155），すでに生成されているプリント指定ファイルにもとづくプリント処理（プリ指定プリント）が実行される（ステップ157）。このプリ指定プリントの処理について詳しくは後述する。ユーザによってキャンセル・ボタン13が押されると（ステップ155），新たにプリントの指定が行われる。新たに指定された内容にもとづいてプリント処理が実行される（新規指定プリント，ステップ156）。この新規指定プリント処理についてもくわしくは，後述する。あらかじめ生成されているプリント指定ファイルが存在しない場合にも（ステップ152でＮＯ），新規指定プリント処理が行われる。
【００９９】
プリント設定が選択モードに設定されている場合も（ステップ151），オートに設定されている場合と同様にプリント指定ファイルの有無が判断される（ステップ158）。プリント設定が選択モードに設定されている場合には，「オート」が設定されている場合と異なり，プリント指定ファイルがすでに生成されていれば（ステップ158でＹＥＳ），プリ指定プリントが行われる（ステップ160）。プリント指定ファイルが生成されていなければ（ステップ158でＮＯ），新規指定プリントが行われる（ステップ157）。
【０１００】
プリント設定モードが「固定モード」に設定されている場合には（ステップ151），プリント指定ファイルがすでに生成されているかどうかに関わらず，新規指定プリントが行われる（ステップ161）。
【０１０１】
図15は，プリ指定プリントの処理（図13ステップ157，160）を示すフローチャートである。
【０１０２】
すでに生成されているプリント指定ファイルがメモリ・カード39，または不揮発性メモリ33から読み取られる（ステップ181）。読み取られたプリント指定ファイルがディジタル・スチル・カメラ１からプリンタ50に送信される（ステップ182）。
【０１０３】
ディジタル・スチル・カメラ１から送信されたプリント指定ファイルがプリンタ50において受信されると，その受信に応じて受信通知を示すデータがプリンタ50からディジタル・スチル・カメラ１に送信される（ステップ191）。受信されたプリント指定ファイルがシステム・メモリ82に与えられ，記憶される。プリント指定ファイルがシステム・メモリ82から読み取られ（ステップ192），その内容が解析される（ステップ193）。解析された結果，プリントすべき画像を表す画像ファイルの送信要求を示すデータがプリンタ50からディジタル・スチル・カメラ１に送信される（ステップ194）。
【０１０４】
プリンタ50から送信された画像ファイルの送信要求を表すデータがディジタル・スチル・カメラ１において受信されると，その送信要求に対応した画像ファイルがメモリ・カード39から読み取られる。読み取られた画像ファイルがディジタル・スチル・カメラ１からプリンタ50に送信される（ステップ183）。
【０１０５】
ディジタル・スチル・カメラ１から送信された画像ファイルがプリンタ50において受信されると，その受信した画像ファイルによって表される画像のプリント処理が実行される（ステップ195）。解析されたプリント指定ファイルによって指定される枚数分のプリントが行われる。指定された枚数分のプリントが終了すると，プリントすべき次の駒の画像があるかどうかが解析されたプリント指定ファイルにもとづいて判定される。プリントすべき次の駒の画像があると（ステップ196でＹＥＳ），ステップ192から195の処理が繰り返される。
【０１０６】
プリント指定ファイルの中にインデックス・プリントのプリント指示が含まれている場合には，ディジタル・スチル・カメラ１への画像ファイルの送信要求処理（ステップ194）においてインデックス・プリントを生成するためのすべての駒の画像を表す画像ファイルの送信要求が行われる。このすべての駒の画像の送信要求に応じてディジタル・スチル・カメラ１からプリンタ50にすべての駒の画像の画像ファイルが送信される。インデックス・プリント生成用のすべての駒の画像ファイルがプリンタ50において受信されると，プリンタ50においてインデックス・プリント用画像が生成される。生成されたインデックス・プリント用画像がプリントされる（ステップ195）。
【０１０７】
プリント指定ファイルにもとづく画像のプリントがすべて終了すると，プリンタ50からディジタル・スチル・カメラ１にプリント終了を示すデータが送信される（ステップ197）。
【０１０８】
プリンタ50から送信されたプリント終了データがディジタル・スチル・カメラ１において受信されると，受信通知を示すデータがディジタル・スチル・カメラ１からプリンタ50に送信される（ステップ184）。プリ指定プリント処理が終了することとなる。
【０１０９】
図16から図18は，新規指定プリントの処理（図13ステップ156，159，161の処理）を示すフローチャートである。
【０１１０】
新規プリント処理においてもあらかじめプリント指定ファイルを生成する場合と同様に，表示画面10に図７に示すプリント指定画像が表示される。まず，表示される画像が最後の駒の画像に設定される（図16ステップ201）。また，プリント枚数が所定の初期値である０にリセットされる（図16ステップ202）。もちろん，初期値を１としてもよい。
【０１１１】
表示画面10の画像表示ウインドウ100に，最後の駒の画像が表示される（図16ステップ203）。画像表示ウインドウ100に，プリントすべき画像が表示されるように，矢印ボタン９の右矢印ボタンまたは左矢印ボタンが押される。右矢印ボタンまたは左矢印ボタンの押下によって表示画像の変更指令がディジタル・スチル・カメラ１に与えられることとなる（図16ステップ204）。表示画像の変更指令に応じて，画像表示ウインドウ100に表示される画像が変わる（図16ステップ205）。
【０１１２】
プリントすべき所望の画像が画像表示ウインドウ100に表示されると（図16ステップ204でＮＯ），上矢印ボタンまたは下矢印ボタンを利用したプリント枚数の指定およびメニュー・ボタン11を利用したインデックス・プリントの指定が行われる（図16ステップ206）。インデックス・プリントの指定が行われることにより，画像表示ウインドウ100に表示されている画像のサムネイル画像が，インデックス・プリントを構成する多数の駒のサムネイル画像の一つとなる。表示画像ウインドウ100に表示される画像の駒送りをしながら，プリントすべき画像のすべてについてプリント枚数の指定およびインデックス・プリントとすべきかどうかの指定が行われる（図16ステップ207でＮＯ，図16ステップ203〜206）。
【０１１３】
プリントすべき画像のすべてについてプリント枚数の指定およびインデックス・プリントをすべきかどうかの指定が終わると（図16ステップ207でＹＥＳ），ユーザによって実行ボタン12が押される（図16ステップ207でＹＥＳ）。
【０１１４】
つづいて，プリント対象とされた画像の中にインデックス・プリントの対象とされた画像がある場合には，互いの関連づけが行われて記憶される（図16ステップ208でＹＥＳ，図16ステップ209）。
【０１１５】
指定された画像についてのプリント枚数がすべて０に設定されていると操作ミスと考えられるので，プリント枚数が０かどうかが確認される（図16ステップ210）。プリントすべき枚数が１枚も無ければ（図16ステップ210でＹＥＳ），再び図16ステップ203からの処理が繰り返される。必要に応じて，プリント枚数の入力を促す指示を表示画面10上に表示するようにしてもよい。
【０１１６】
少なくとも一枚のプリント枚数の指定が設定されていると（図17ステップ210でＮＯ），表示画面10にはスタンダード・プリント中の旨が表示される（図17ステップ211）。最初は，インデックス・プリントではなく，プリント用紙一枚に一駒の画像がプリントされるスタンダード・プリントが行われるので，スタンダード・プリント表示となる。ディジタル・スチル・カメラ１からプリンタ50には，プリント対象とする表示中の画像を表す画像ファイル，その画像のプリント枚数を表すデータ，スタンダード・プリントをすべき画像であることを示すデータなどのプリント情報が送信される（図17ステップ213）。
【０１１７】
ディジタル・スチル・カメラ１から送信されたプリント情報がプリンタ50において受信されると，受信した旨を示すデータがプリンタ50からディジタル・スチル・カメラ１に送信される（図17ステップ231）。受信したプリント情報にしたがって，プリンタ50においてカメラ表示中の画像のプリントが行われる（図17ステップ232）。ディジタル・スチル・カメラ１から送信されたプリント情報によって指示されるプリント枚数のプリントが終了するまで，カメラで表示中のプリント処理が繰り返される（図17ステップ233でＮＯ）。
【０１１８】
プリント情報にもとづくプリント枚数のすべてのスタンダード・プリントが終了すると（図17ステップ233でＹＥＳ），プリント終了したことを示すデータがプリンタ50からディジタル・スチル・カメラ１に送信される（図17ステップ234）。
【０１１９】
プリンタ50から送信されたプリント終了データがディジタル・スチル・カメラ１において受信されると，受信した旨を示すデータがディジタル・スチル・カメラ１からプリンタ50に送信される（図17ステップ213）。また，ディジタル・スチル・カメラ１の表示画面10には，プリンタ50における表示中の画像のスタンダード・プリントが終了したことが表示される（ステップ214）。
【０１２０】
他の画像をスタンダード・プリントでプリントしたい場合は，矢印ボタン９の左矢印または右矢印を用いて，表示する画像を選択し，上述した操作を同様に行えばよい。
【０１２１】
スタンダード・プリントを中止する場合には，ユーザによってキャンセル・ボタン13が押される（図17ステップ215でＹＥＳ）。
【０１２２】
ディジタル・スチル・カメラ１のキャンセル・ボタン13が押されると（図17ステップ215でＮＯ），インデックス・プリント処理に移行する。プリント指定画像を用いてインデックス・プリントの指定が行われていると（図18ステップ216でＹＥＳ），表示画面10には，インデックス・プリント中の旨が表示される（図18ステップ217）。ディジタル・スチル・カメラ１からプリンタ50に，インデックス・プリントの対象とすべき画像であると指定されたすべての画像を表す画像ファイル，インデックス・プリント用の画像ファイルであることを示すデータなどのインデックス・プリント情報が送信される（図18ステップ218）。
【０１２３】
ディジタル・スチル・カメラ１から送信されたインデックス・プリント情報がプリンタ50において受信されると，その受信したことを示すデータがプリンタ50からディジタル・スチル・カメラ１に送信される（図18ステップ235）。受信したプリント情報にもとづいて，インデックス・プリントのプリントが実行される（図18ステップ236）。インデックス・プリントを構成するサムネイル画像を生成する縮小処理は，プリンタ50において行われる。もっとも，ディジタル・スチル・カメラ１において，サムネイル画像の生成処理をして，生成されたサムネイル画像を表す画像ファイルをディジタル・スチル・カメラ１からプリンタ50に送信するようにしてもよい。インデックス・プリントのプリントにおいては，所定の大きさのサムネイル画像がプリント用紙に並べられるようにサムネイル画像が位置決めされる。インデックス・プリント用に指定されたすべての画像のサムネイル画像が一枚の用紙に入りきらない場合には複数枚の用紙を用いてインデックス・プリントが生成されよう。また，インデックス・プリントのプリント枚数を１枚（１セット）ではなく，複数枚（複数セット）指定できるようにしてもよい。
【０１２４】
インデックス・プリントのプリントが終了すると，プリンタ50からディジタル・スチル・カメラ１に終了したことを示すデータが送信される（図18ステップ237）。
【０１２５】
プリンタ50から送信されたインデックス・プリント終了データがディジタル・スチル・カメラ１において受信されると，受信したことを示すデータがディジタル・スチル・カメラ１からプリンタ50に送信される（図18ステップ219）。ディジタル・スチル・カメラ１の表示画面10には，インデックス・プリントが完了したことが表示される（図18ステップ220）。
【図面の簡単な説明】
【０１２６】
【図１】ダイレクト・プリント・システムの概要を示している。
【図２】ディジタル・スチル・カメラを背面から見た斜視図である。
【図３】ディジタル・スチル・カメラのモード設定ダイアルを示している。
【図４】プリンタのモード設定スイッチを示している。
【図５】ディジタル・スチル・カメラの電気的構成を示すブロック図である。
【図６】メモリ・カードのディレクトリ構造を示している。
【図７】ディジタル・スチル・カメラの表示画面の一例である。
【図８】プリント指定ファイルの内容を示している。
【図９】ディジタル・スチル・カメラの表示画面の一例である。
【図１０】プリンタの電気的構成を示すブロック図である。
【図１１】ダイレクト・プリント・システムの処理手順を示すフローチャートである。
【図１２】ディジタル・スチル・カメラの表示画面の一例である。
【図１３】プリント実行処理手順を示すフローチャートである。
【図１４】ディジタル・スチル・カメラの表示画面の一例である。
【図１５】プリ指定プリントの処理手順を示すフローチャートである。
【図１６】新規指定プリントの処理手順の一部を示すフローチャートである。
【図１７】新規指定プリントの処理手順の一部を示すフローチャートである。
【図１８】新規指定プリントの処理手順の一部を示すフローチャートである。
【符号の説明】
【０１２７】
１  ディジタル・スチル・カメラ
２  モード設定ダイアル
４  アンテナ
７  ＵＳＢコネクタ
９  矢印ボタン
10  表示画面
11  メニュー・ボタン
12  実行ボタン
26  ＵＳＢドライバ
27  無線インターフェイス
31  ＣＰＵ
33  システム・メモリ
36  インプット・アウトプット・ユニット
37  カード・インターフェイス
38  メモリ・カード・スロット
39  メモリ・カード
40  ボタン類
【図１】
2005086478.tif 000003
【図２】
2005086478.tif 000004
【図３】
2005086478.tif 000005
【図４】
2005086478.tif 000006
【図５】
2005086478.tif 000007
【図６】
2005086478.tif 000008
【図７】
2005086478.tif 000009
【図８】
2005086478.tif 000010
【図９】
2005086478.tif 000011
【図１０】
2005086478.tif 000012
【図１１】
2005086478.tif 000013
【図１２】
2005086478.tif 000014
【図１３】
2005086478.tif 000015
【図１４】
2005086478.tif 000016
【図１５】
2005086478.tif 000017
【図１６】
2005086478.tif 000018
【図１７】
2005086478.tif 000019
【図１８】
2005086478.tif 000020